(57)【特許請求の範囲】
【請求項１】
開放口（３）を有する有底ケース体（１）と、前記開放口（３）を塞ぎ且つビール飲料の注出ノズル（２６）付きの注出手段（４）を備える覆い蓋（５）と、有底ケース体（１）の注出手段（４）側を下方に傾けた状態に載置し得る支持体（２８）とから構成し、
前記有底ケース体（１）は、その全体が内部を目視可能な透明体に形成してあるとともに、内周壁（７）と外周壁（８）とからなる二重構造をなし、内周壁（７）と外周壁（８）との間には、保冷部材（６）を入れることのできる収容空間（Ｓ）を有し、内周壁（７）の内側には、前記開放口（３）と連通するビール飲料容器（２）の収容部（Ｒ）を有しており、有底ケース体（１）外周壁（８）は、前記収容空間（Ｓ）への保冷部材（６）の収容口（９）を有し、収容口（９）は、有底ケース体（１）外周壁（８）の注出ノズル（２６）の取付位置より上面部位に備えてあり、注出ノズル（２６）は、有底ケース体（１）を支持体（２８）に傾けた状態で載置したときに下向きに垂下することを特徴とするビール飲料容器用補助ケース。
【請求項２】
前記収容口（９）の外側位置（Ｌ）には、有底ケース体（１）外周壁（８）から起伏自在な持手（１０）を備えていることを特徴とする請求項１記載のビール飲料容器用補助ケース。
【発明の詳細な説明】
【０００１】
【発明の属する技術分野】
本発明は、飲料水の保冷及び注出作業を補助するためのビール飲料容器用補助ケースに関する。
【０００２】
【従来の技術】
例えば、ビールを収容したビール飲料容器には、様々な容量のものが存在し、その中でも、１０００ｍｌを越えるような比較的大容量のビール飲料容器には、このビール飲料容器の口部からキャップを取り外して、代わりに注出のための補助具となる注出補助具を取付けるものがあった。そして、この注出補助具は先端が屈曲した形状をなし、例えばビール飲料容器を傾けて使用するものや、あるいはコックの操作により口部を下方に向けた状態で設置するものなどがあった。
【０００３】
【発明が解決しようする課題】
しかしながら上記のような従来のビール飲料用の注出補助具は、ビール飲料容器内の飲料水の注出を効率良く行えるものの、前記ビール飲料容器の保冷効果や、あるいは持ち運びを考慮したものではなく、使用者がわざわざビール飲料容器を傾けて中のビール飲料をコップ等に注出しなければならず、これにより前記注出補助具を備えた場合の使い勝手が大変悪く、しかも保冷効果も期待できないので、ビール飲料容器の使用時に効率よく補助できない問題点があった。
【０００４】
本発明はビール飲料容器の持ち運びが好適になるのは勿論、保冷部材の投入が行い易く且つ前記ビール飲料容器の保冷効果も高く、さらには、使用時のビール飲料の銘柄などの確認を容易に行うことも可能なビール飲料容器用補助ケースを提供することにある。
【０００５】
【課題を解決するための手段】
本発明のうち請求項１記載の発明は、開放口を有する有底ケース体と、前記開放口を塞ぎ且つビール飲料の注出ノズル付きの注出手段を備える覆い蓋と、有底ケース体の注出手段側を下方に傾けた状態に載置し得る支持体とから構成し、前記有底ケース体は、その全体が内部を目視可能な透明体に形成してあるとともに、内周壁と外周壁とからなる二重構造をなし、内周壁と外周壁との間には、保冷部材を入れることのできる収容空間を有し、内周壁の内側には、前記開放口と連通するビール飲料容器の収容部を有しており、有底ケース体外周壁は、前記収容空間への保冷部材の収容口を有し、収容口は、有底ケース体外周壁の注出ノズルの取付位置より上面部位に備えてあり、注出ノズルは、有底ケース体を支持体に傾けた状態で載置したときに下向きに垂下することを特徴とする。
【０００６】
ここで保冷部材とは、ケース体内を保冷可能なものであればよく、具体的に氷や蓄冷剤などが挙げられる。さらに注出手段としては、覆い蓋を介した状態であっても有底ケース体の外部にビール飲料を注出できるものであればよく、具体的には専用の注出コック等が挙げられる。また透明体とは、ビール飲料容器を有底ケース体内に収容した際に、有底ケース体の内部の様子を目視できるものであればよく、半透明のものであってもよい。
【０００７】
このように形成すると、有底ケース体の外周壁に保冷部材の収容口を備えているので、有底ケース体内への保冷部材の投入が容易になり、さらに、収容口が有底ケース体内の外周壁に設けてあるので、ビール飲料容器の外周全体に亘って保冷部材の収容空間が形成され、保冷効果も充分に確保されることになる。しかも、有底ケース体が透明体であるので、内部に収容されているビール飲料容器の銘柄等が外から目視できる。
【０００８】
本発明のうち請求項２記載の発明は、前記収容口の外側位置には、有底ケース体外周壁から起伏自在な持手を備えていることを特徴とするので、ビール飲料容器を収容している本補助ケースを支持体に設置した際に、常に収容口が有底ケース体の上面側に位置することになる。
ここで、収容口の近傍位置とは、収容口の設置位置を含んだ領域であり、例えば、蓋と持手とが一緒に形成されている形態のものも含まれる。また、収容口や持手を備える数は特に限定するものではない。
【０００９】
【発明の実施の形態】
本発明の実施形態を図面に基づいて以下に説明する。
本実施形態のビール飲料容器用補助ケースは図１のように、ビール飲料容器２を収容するための開放口３を一方側に備える有底筒型の有底ケース体１と、この有底ケース体１の開放口３に着脱自在に嵌挿する円形の覆い蓋５と、この覆い蓋５及び有底ケース体１内に収容されているビール飲料容器２内に連通する注出コック４と、からなっており、前記有底ケース体１の外周壁８の上面側には、円形をなす保冷部材６の収容口９を備えるとともに、前記収容口９の外周部分には持手１０を設けている。
尚、本実施形態では、本補助ケースを専用のスタンド２８に載置しており、これにより、前記ビール飲料容器２における、注出コック４を備える側が下方に位置するように傾けた状態にして使用するものである。
【００１０】
前記有底ケース体１は、内周壁７と外周壁８とからなる二重容器であり、内周壁７内側の内部空間にはビール飲料容器２の収容部Ｒが形成され、一方、内周壁７と外周壁８との間には、細かく砕いた氷６を収容する収容空間Ｓが前記ビール飲料容器２の収容部Ｒの全周に亘りリング状に配置されている。また、この有底ケース体１全体が透明なアクリル樹脂により成形してあり、このことから、有底ケース体１内に収容しているビール飲料の銘柄などの確認が覆い蓋５を外さなくても可能となるので、本補助ケースの使用状態が更に好適なものとなっている。
尚、本有底ケース体１は例えば、半透明体であってもよく、少なくとも有底ケース体１の内部に収容してあるビール飲料容器２の銘柄等が記載されたラベルを使用者が外から目視できるものであれば、素材などは特に限定しない。
【００１１】
また収納蓋１６は図２のように、有底ケース体１の外周壁８に設けてある氷の収容口９の形状に合わせて略円形をなし、さらに、この収容蓋１６を容易に手で回すことが可能なように、該収容蓋１６の上部側にハンドル１２が設けてある。また、この収容蓋１６と収容口９との取付構造を説明すると図３のように、この収容蓋１６の外周縁に沿って張出片１３を備え、しかも張出片１３の周縁上の対向する２箇所に切欠部１４がそれぞれ設けてあり、一方、有底ケース体１の収容口９の周縁には、前記各切欠部１４，１４と形状が一致する係止部１５，１５がそれぞれ突設してある。これにより、収容口９に螺合している収納蓋１６を使用者が回すことで、前記切欠部１４，１４と係止部１５，１５とが一致した段階で収容口９から収納蓋１６が外れ、それ以外の回転停止位置に前記収納蓋１６が位置する場合には、収納蓋１６が有底ケース体１の氷６の収容口９を完全に塞ぐことになる。
【００１２】
前記持手１０は図４のように、有底ケース体１の外周壁８に左右一対に備えてあり、合成樹脂により形成された半円弧状をなすもので、この持手１０の両端部には外方に突出する凸部１７，１７が設けてあり、一方、有底ケース体１の収容口９の外周部分には、全周に亘り溝１８がリング状に設けてあり、この溝１８の側周壁には前記持手１０の凸部１７，１７を回転可能に保持可能な保持穴（図示省略）がそれぞれ設けてあり、持手１０を使用しない場合には、それぞれの持手１０，１０を相反する方向に倒して、溝１８内に各持手１０，１０を収納することが可能となっている。
【００１３】
また、前記有底ケース体１の開放口３には、この開放口３の形状に一致する円盤状の覆い蓋５が備えてあり、さらに前記覆い蓋５の有底ケース体１の開放口３への取付構造は、該有底ケース体１の外周壁８外面側に、止め金具１９が等間隔に４箇所固着してあり、各止め金具１９をそれぞれ閉じることで、前記覆い蓋５が開放口３を塞ぐ状態で強固に嵌め合わさり、有底ケース体１に収容してあるビール飲料容器２を離脱不能に保持することが可能となる。また、前記覆い蓋５の中央位置は有底ケース体１の外方に向けて筒部２０が突出しており、この筒部２０の内部にはビール飲料容器２の口部２１が入り込むことで、有底ケース体１内において前記ビール飲料容器２の位置決め保持を行うとともに、ビール飲料容器２によっては、製造各メーカーにより口部２１の径が一致しない場合があるので、このような場合には、キャップ状のアダプタ２２をビール飲料容器２の口部２１を覆うように嵌合して、前記アダプタ２２を介在して筒部２０内に位置決め保持を可能にするものである。
【００１４】
さらに前記覆い蓋５の中心位置には、有底ケース体１内で位置決めされた口部２１と一致する箇所に流出孔２３が設けてあり、この流出孔２３には注出コック４側の取出パイプ２４が挿入され、ビール飲料容器２から有底ケース体１の外部へ前記ビール飲料容器２の内部に収容されるビール飲料を注出することが可能となる。
【００１５】
前記注出コック４は、ビール飲料容器２内への取出パイプ２４を介して上部側に備えてある開閉レバー２５と、該開閉レバー２５の下部側に垂下する飲料水の注出ノズル２６と、からなっており、さらに、前記注出ノズル２６と有底ケース体１の内部に収容されたビール飲料容器２の口部２１とが嵌合して連通し、内部のビール飲料のコップ２７への注出が行える。しかも、この注出コック４には、ビール飲料容器２内に通じる空気取入管２９が備えてあり、ビール飲料容器２内のビール飲料を効率よく注出することが可能となる。
【００１６】
このように形成すると図５のように、持手１０が外周壁８の収容口９の近傍位置に設けてあるため、スタンド２８に載置した場合に収容口９が確実に有底ケース体１の上面部位に位置した状態となり、収容空間Ｓ内に氷６の投入がしやすい位置に前記収容口９が常に位置決めされるため、本補助ケースの使用が非常に好適なものとなる。さらに、収容口９が外周壁８に設けてあるため、有底ケース体１内の氷６の収容空間Ｓが広く確保され、前記有底ケース体１内に収容されたビール飲料容器２の全周に亘って氷６の収容空間Ｓが配置され、保冷効果を確実に得られることになる。また有底ケース体１が透明体をなすことにより、内部に収容されているビール飲料容器２の銘柄を記載したラベル等が有底ケース体１の外部から目視でき、内部の確認の際に覆い蓋５を開放口３から取り外して確認する不便さが解消される。
【００１７】
また、本発明の補助ケースは上記の使用方法に限らず、例えば、有底ケース体１の収容空間Ｓ内にあらかじめ水を入れて凍らせておき、後からビール飲料容器２を収容することも可能である。この場合、有底ケース体１が透明体であるため、水の収容量を外部から目視できるので、収容空間Ｓ内への水の収容量の自在な調整が行え、体積の膨張による有底ケース体１の破損なども確実に防ぐことが可能となる。
尚、前記のように使用する場合には、有底ケース体１と覆い蓋５との間にゴム製パッキン３０を介在してあり、このゴム製パッキン３０の介在により収容空間Ｓ内を完全に密封する必要がある。
【００１８】
また図６は、本発明の他の実施形態を示すものであり、この補助ケースは、有底ケース体１外周壁８の対向する２箇所に収容口９と持手１０とをそれぞれ備えるもので、このように形成すると、２つの持手１０，１０を使用者が両手で掴んで安定して持ち運びが行えるとともに、収容口９が外周壁の２箇所にそれぞれ設けてあることから、収容空間Ｓの中に保冷部材６が一層投入しやすくなる。
尚、収容口９と持手１０とを設置する箇所は特に限定するものではない。
【００１９】
【発明の効果】
本発明のうち請求項１記載の発明によれば、保冷部材の収容口を有底ケース体の外周壁に設けているので、有底ケース体の収容空間に保冷部材を投入しやすく、また、有底ケース体が透明体であるから、本補助ケース内に収容してあるビール飲料の銘柄などが外部から容易に目視できるので、使用状態が飛躍的に向上する。
さらに保冷部材の収容口を有底ケース体の上面部位に備えているので、支持体に有底ケース体を設置した後においても、保冷部材の投入が容易になる。
【００２０】
また、収容口が外周壁に設けてあることにより、保冷部材の収容スペースが充分に確保され、ビール飲料の保冷効果が確実に向上することとなる。
【００２１】
本発明のうち請求項２記載の発明によれば、収容口の備わる方向と対応して持手が備わっているので、本補助ケースの支持体への設置が更に好適なものとなる。
【図面の簡単な説明】
【図１】  本発明のビール飲料容器用補助ケースの実際の使用状態を示す一部を切欠した側面図である。
【図２】  本発明のビール飲料容器用補助ケースを示す平面図である。
【図３】  本発明のビール飲料容器用補助ケースの使用を示す平面図である。
【図４】  本発明のビール飲料容器用補助ケースの使用を示す正面図である。
【図５】  図２のＡ−Ａ線縦断面図である。
【図６】  本発明のビール飲料容器用補助ケースの他の実施形態を示す横断面した平面図である。
【符号の説明】
１  有底ケース体
２  ビール飲料容器
３  開放口
４  注出コック（注出手段）
５  覆い蓋
６  氷（保冷部材）
７  内周壁
８  外周壁
９  収容口
１０  持手
１６  収納蓋（蓋）
２６  注出ノズル
２８  スタンド（支持体）
Ｓ  収容空間
Ｌ  近傍位置
【図１】
0003806300.tif 000002
【図２】
0003806300.tif 000003
【図３】
0003806300.tif 000004
【図４】
0003806300.tif 000005
【図５】
0003806300.tif 000006
【図６】
0003806300.tif 000007